(57)【要約】【課題】高効率マイナスイオンモジュールの提供。【解決手段】一種の高効率マイナスイオンモジュール、主に高圧電場と組み合わせた触媒装置とイオン発生装置より構成する。高圧放電端より生成する高圧電場において、電子は電場により加速され分子と衝突し、遊離基を生成して化学反応を引き起こす同時、触媒反応板の触媒により、活性化エネルギーを抑制し、反応を加速させ、四塩化炭素、ベンゼン、ピルビン、アセチレン二塩化物、トルエン、ブチル酢酸化合物などを除去する働きがある。さらに、そのうち一つのラックにおいて、複数の管状、かつ、外層に二酸化バナジウム（ＶＯ2）塗層、二酸化チタン（ＴｉＯ2）塗層及び金属と塗層の多層ナノ作用管を形成し、イオン発生電気負極の出力端に連結し、各作用管の軸心を放電端に対応することにより、高圧放電を発生したとき、電位差より形成する電子風により清浄化空気の流動を加速させ、殺菌速度を向上し、黴菌の除去、有機溶剤の分解、臭気除去及び一酸化炭素の清浄化効果を図る。【選択図】図１
0003131956.tif 000002
【実用新案登録請求の範囲】
【請求項１】
ハウジング台、高圧電場を備えた触媒装置及びイオン発生装置を含み、
該ハウジング台に備えた二つの脇板の内側に１本以上対称する装入溝をそれぞれ設ける、
該高圧電場を備えた触媒装置は１枚以上、異なる触媒を付着した触媒反応板を設け、該触媒反応板の両側に高圧放電端と接地端のラックをそれぞれ設け、閣外触媒反応板は正確な位置に前記のハウジング台の二つの脇板の内側の対称した装入溝に装入する、
該イオン発生装置は一組のラックより構成する、そのうち、一つのラックに複数の延管状を形成し、その外層部に二酸化バナジウム塗層、二酸化チタン塗層及び銀塗層又は金及びその他金属層などの多層ナノ作用管を有し、イオン発生装置電気回路の電源負極の出力端に連結する、もう一つのラックにおいて、複数の前記のラックに設ける多層ナノ作用管軸心に対応し、放電端を設ける、
前記の構成要素を組み合わせることにより、触媒装置は１枚以上、異なる触媒を付着した触媒反応板を設け、該触媒反応板の両側に高圧放電端と接地端のラックをそれぞれ設ける、高圧放電端より高圧電場を発生し、電子は電場の加速働きにより、分子に衝突し、活性化エネルギーを発生する、一部の気体分子は初期の高エネルギーに衝突し、二次電子を遊離するため、大量な電子を発生する、電子は分子を引き続きに衝突することにより、遊離基を生成し化学反応を引き起こす、このため、気体に酸素、窒素、水などを含まれるとき、水酸化物イオン、酸素化イオンなど高反応性の遊離基は反応により生成されるほか、触媒反応板の触媒により、活性化エネルギーを抑制し、反応を加速させ、酸化分解を加速する。よって、コロナ放電は触媒と結合し、有機化合物ＶＯＣ、例、四塩化炭素、ベンゼン、ピルビン、アセチレン二塩化物、トルエン、ブチル酢酸化合物などに対し、加速の働きを有することを特徴とする高効率マイナスイオンモジュール。
【請求項２】
該ハウジング台の他端に保護カーバーを備えた補助ファンを設けて、外気を吸入しイオンの散布を加速させることを特徴とする請求項１記載の高効率マイナスイオンモジュール。
【請求項３】
該ハウジング台の底部に底部空間を設けて、イオン発生装置の電気回路を取り付けることを特徴とする請求項１記載の高効率マイナスイオンモジュール。
【考案の詳細な説明】
【技術分野】
【０００１】
本考案は一種の高効率マイナスイオンモジュール構造に関わるものである。高圧電場の触媒装置により大量な電子を発生することを主な目的とする。電子は連続的に分子と衝突させ、遊離基を発生し、化学反応を引き起こす。このため、気体に酸素（Ｏ2）、窒素（Ｎ2）．水（Ｈ2Ｏ）などを含まれるとき、水酸化物イオン（ＯＨ-）、酸素化イオン（Ｏ2-）など高反応性の遊離基は反応により生成されるほか、触媒反応板の触媒により、活性化エネルギーを抑制し、反応を加速させ、酸化分解を加速する。よって、コロナ放電は触媒と結合し、有機化合物ＶＯＣ（四塩化炭素、ベンゼン、ピルビン、アセチレン二塩化物、トルエン、ブチル酢酸化合物など）に対し、加速の働きを有するため、有害な毒物を有効に除去できる。さらに、一組のラックより構成するイオン発生装置において、そのうち一つのラックに複数の管状を形成し、その外層部に二酸化バナジウム（ＶＯ2）塗層、二酸化チタン（ＴｉＯ2）塗層及び銀塗層（又は金及びその他金属塗層）など多層のナノ作用管を有し、イオン発生電気の負極の出力端に連結する。もう一つのラックにおいて、複数の前記のラックに備える多層のナノ作用管に対応した放電端を設け、放電端の高圧放電は電位差により電子風を加速させ、多層のナノ作用管の一端より吹き込み、多層のナノ作用管の孔と外縁部を経て吹き出す。電子風の進出により、清浄化空気の流動を加速し、外層部に設ける外層部に二酸化バナジウム（ＶＯ2）塗層、二酸化チタン（ＴｉＯ2）塗層を加工し、光吸収範囲を増やせて、触媒効率を向上し、殺菌速度を増強時、黴菌の除去、一酸化炭素の清浄化、及びマイナスイオンの大幅増加する効果を図る。
【背景技術】
【０００２】
従来のマイナスイオン発生装置の種類が多い。しかしながら、多くのマイナスイオン発生装置のマイナスイオン発生効率が良くない。単位時間のマイナスイオン発生量も不足している。このため、発生するマイナスイオンの量を室内空気の清浄化目的を達成するため、相当な時間を要する。従来のマイナスイオン発生装置は空気清浄化効率が良くないほか、電気消費が大きい欠点が残る。よって、マイナスイオン発生量を向上するため、マイナスイオン発生装置の放電端に半導体特性の部材より加工した電気触媒変換基板を設け、マイナスイオン発生装置付近場所の電場反応時間を図り、放電単元及びその周囲で発生する静電気を吸収しマイナスイオンに変換する。この種の構造は従来のマイナスイオン発生装置に比べて、マイナスイオン発生効率は向上されるものの、その数は限られる。よって、作用基板と電気触媒変換基板によるマイナスイオン発生量の向上効果は限られるため、さらなるの改善が必要である。
【考案の開示】
【考案が解決しようとする課題】
【０００３】
本考案者は前記した従来のマイナスイオン発生装置の実用性及び改善すべき問題点に鑑みて、実用効果を向上する一種の斬新な設計の提供を図り、鋭意に研究と設計試作を重ねて行うほか、長年におけるこの分野の製品設計、生産販売知識と実務経験に基づき考案した結果、本考案の高効率マイナスイオンモジュール構造を考案した。主に、電場触媒制御装置と一組のラックより構成するマイナスイオン発生装置により、反応を加速し、酸化分解を加速する。有害な毒物を有効に除去できるほか、マイナスイオン発生量の大幅増加効果を図る。
【０００４】
本考案の技術問題に対する技術考案を以下のとおり詳細説明し、
１．高圧電場の触媒装置により大量な電子を発生し、電子は分子に連続的衝突することにより、遊離基を発生し、化学反応を引き起こす。これにより、気体に酸素、窒素、水などを含まれるとき、水酸化物イオン、酸素化イオン（Ｏ2-）など高反応性の遊離基は反応により生成するほか、触媒反応板の触媒により、活性化エネルギーを抑制し、酸化分解を加速する。その上、クロナ放電効果により触媒と結合し、有機化合物ＶＯＣ（四塩化炭素、ベンゼン、ピルビン、アセチレン二塩化物、トルエン、ブチル酢酸化合物など）に対し、加速の働きを有するため、有害な毒物を有効に除去できる。２．一組のラックより構成したイオン発生装置。そのうち一つのラックに複数の管状、その外層部に二酸化バナジウム（ＶＯ2）塗層、二酸化チタン（ＴｉＯ2）塗層及び銀塗層（又は金及びその他金属塗層）など多層ナノ作用管を形成し、イオン発生装置の電源の出力端に接続する。もう一つのラックにおいて、複数の前記のラックに設ける多層のナノ作用管の軸心に対応した放電端を設ける。放電端より高圧放電のとき、電位差による電子風はマイナスイオンを加速させ、多層のナノ作用管の一端より吹き込み、多層のナノ作用管内孔と外縁部を通して吹き出す。電子風の進出により、清浄化空気の流動を加速するほか、外層部の二酸化バナジウム（ＶＯ2）塗層、二酸化チタン（ＴｉＯ2）塗層により、吸収範囲と触媒効率を向上し、殺菌速度を増強、黴菌の除去、一酸化炭素の清浄化効果、及びマイナスイオン発生量の大幅増加効果を図る。３．該多層のナノ作用管を中空の円柱体に形成し、放電端を該中空円柱体に平行して該多層のナノ作用管の前部場所の長手方向に設ける。イオン発生装置に電気を投入した後、電機を設けなくても、イオン発生装置の出力端より電子風を発生し、塵埃除去殺菌効果を有するほか、より多く、より均一のマイナスイオンを発生できるため、電機消費の節約効果を有する。４．該高効率マイナスイオンモジュールのハウジング台に備える二つの脇板の内側に、１本以上対称して配置する装入溝を設け、前記のラックと触媒反応板を装入溝の正確な位置に装入し、素早く組み立てを図る。
【課題を解決するための手段】
【０００５】
請求項１の考案は、ハウジング台、高圧電場を備えた触媒装置及びイオン発生装置を含み、
該ハウジング台に備えた二つの脇板の内側に１本以上対称する装入溝をそれぞれ設ける、
該高圧電場を備えた触媒装置は１枚以上、異なる触媒を付着した触媒反応板を設け、該触媒反応板の両側に高圧放電端と接地端のラックをそれぞれ設け、閣外触媒反応板は正確な位置に前記のハウジング台の二つの脇板の内側の対称した装入溝に装入する、
該イオン発生装置は一組のラックより構成する、そのうち、一つのラックに複数の延管状を形成し、その外層部に二酸化バナジウム塗層、二酸化チタン塗層及び銀塗層又は金及びその他金属層などの多層ナノ作用管を有し、イオン発生装置電気回路の電源負極の出力端に連結する、もう一つのラックにおいて、複数の前記のラックに設ける多層ナノ作用管軸心に対応し、放電端を設ける、
前記の構成要素を組み合わせることにより、触媒装置は１枚以上、異なる触媒を付着した触媒反応板を設け、該触媒反応板の両側に高圧放電端と接地端のラックをそれぞれ設ける、高圧放電端より高圧電場を発生し、電子は電場の加速働きにより、分子に衝突し、活性化エネルギーを発生する、一部の気体分子は初期の高エネルギーに衝突し、二次電子を遊離するため、大量な電子を発生する、電子は分子を引き続きに衝突することにより、遊離基を生成し化学反応を引き起こす、このため、気体に酸素、窒素、水などを含まれるとき、水酸化物イオン、酸素化イオンなど高反応性の遊離基は反応により生成されるほか、触媒反応板の触媒により、活性化エネルギーを抑制し、反応を加速させ、酸化分解を加速する。よって、コロナ放電は触媒と結合し、有機化合物ＶＯＣ、例、四塩化炭素、ベンゼン、ピルビン、アセチレン二塩化物、トルエン、ブチル酢酸化合物などに対し、加速の働きを有することを特徴とする高効率マイナスイオンモジュールとしている。
請求項２の考案は、該ハウジング台の他端に保護カーバーを備えた補助ファンを設けて、外気を吸入しイオンの散布を加速させることを特徴とする請求項１記載の高効率マイナスイオンモジュールとしている。
請求項３の考案は、該ハウジング台の底部に底部空間を設けて、イオン発生装置の電気回路を取り付けることを特徴とする請求項１記載の高効率マイナスイオンモジュールとしている。
【考案の効果】
【０００６】
本考案は高効率マイナスイオンモジュール、本考案は大気中の有害な毒物を素早く除去し、人体にとって有益なマイナスイオンを大量にできるほか、電機消費を軽減し、素早く組み立てる長所を有する。
【考案を実施するための最良の形態】
【０００７】
図１、図２、図３及び図４に示すとおり、本考案の高効率マイナスイオンモジュールは、主に高圧電場の触媒装置と一組のイオン発生装置により構成する。そのうち、触媒装置は１枚以上異なる触媒を帯びた触媒反応板３、及びこれらの触媒反応板３の両側に高圧放電の放電端３１１と接地端３２１を備えたラック３１、３２をそれぞれ設ける。高圧放電端３１１より高圧電場を発生し、電子は電場の加速効果により、分子と衝突による動的エネルギーを発生し、一部の気体分子は初期の高エネルギー電子と衝突し、二次電子、イオン又は遊離基を遊離する。遊離された電子は引き続き気体分子に衝突することにより、大量な電子を発生し、すなわち、雪崩効果を発生する。このように、電子は連続して分子に衝突することにより、遊離基を発生し、化学反応を引き起こす。よって、気体に酸素、窒素、水などを含まれるとき、水酸化物イオン（ＯＨ-）、酸素化イオン（Ｏ2-）など高反応性の遊離基は反応により生成するほか、触媒反応板３の触媒により活性化エネルギーを抑制し、反応を加速させ、酸化分解を加速する。その上、クロナ放電効果により触媒と結合し、有機化合物ＶＯＣ（四塩化炭素、ベンゼン、ピルビン、アセチレン二塩化物、トルエン、ブチル酢酸化合物など）に対し、加速の働きを有する。もう一つのイオン発生装置は一組のラック１、５より構成し、そのうち一つのラック５に複数の管状、その外層部に二酸化バナジウム（ＶＯ2）塗層、二酸化チタン（ＴｉＯ2）塗層及び銀塗層（又は金及びその他金属塗層）など多層ナノ作用管５１を形成し、イオン発生装置電気回路１４の電源出力端に接続する。もう一つのラック４において、複数の前記のラック５に設ける多層のナノ作用管５１の軸心に対応した放電端４１を設ける。放電端４１より高圧放電のとき、電位差による電子風はマイナスイオンを加速させ、多層のナノ作用管５１の一端より吹き込み、多層のナノ作用管内孔と外縁部を通して吹き出す。電子風の進出により、清浄化空気の流動を加速するほか、外層部の二酸化バナジウム（ＶＯ2）塗層、二酸化チタン（ＴｉＯ2）塗層により、光吸収範囲と触媒効率を向上するほか、ナノ銀塗層又はナノ金塗層及びその他ナノ金塗層を追加し、様々なニーズに対し、多層ナノ作用管５１の選択性を提供する。ナノ金属が帯びるプラスイオンは臭気分解、黴菌除去、有機溶剤分解、除臭及び一酸化炭素の清浄化効果のマイナスイオン装置を提供できる。前記の装置はハウジング台１内部に設けハウジング台１二つの脇板の内側に設けた上、１本以上対称する装入溝１１を設ける。前記のラック３１、３２、４、５及び触媒反応板３を素早く正確な位置に各装入溝１１へ装入する。ハウジング台１の他端に保護カーバー２１を備えた補助ファン２を設け、イオンの散布を加速させる。ハウジング台１の底部空間１２にイオン発生装置の電気回路１４部分を取り付けて、本考案の高効率マイナスイオンモジュール構造を実現する。
【０００８】
前記した説明により、本考案は従来のマイナスイオン発生装置より数倍の水酸化物イオン（ＯＨ-）を発生でき、快速殺菌、空気清浄化、及び電気消費の軽減効果を有する。その上、クロナ放電効果により触媒と結合し、有機化合物ＶＯＣ（四塩化炭素、ベンゼン、ピルビン、アセチレン二塩化物、トルエン、ブチル酢酸化合物など）に対し、加速の働きを有するため、新規性、進歩性及び産業利用性を有する考案である。
【図面の簡単な説明】
【０００９】
【図１】本考案の立体分解図である。
【図２】本考案の組合せ立体図である。
【図３】本考案の組合せ断面図である。
【図４】本考案の多層ナノ作用管端の端面視図である。
【符号の説明】
【００１０】
１  ハウジング台
１１  装入溝
１２  底部空間
１３  天蓋
１４  電気回路
２  補助ファン
２１  保護カーバー
３  触媒反応板
３１、３２、４、５  ラック
３１１、４１  放電端
３２１  接地端
５１  多層ナノ作用管
【図１】
0003131956.tif 000003
【図２】
0003131956.tif 000004
【図３】
0003131956.tif 000005
【図４】
0003131956.tif 000006
【手続補正書】
【提出日】平成19年3月9日(2007.3.9)
【手続補正１】
【補正対象書類名】実用新案登録請求の範囲
【補正対象項目名】全文
【補正方法】変更
【補正の内容】
【実用新案登録請求の範囲】
【請求項１】
ハウジング台、高圧電場を備えた触媒装置及びイオン発生装置を含み、
該ハウジング台に備えた二つの脇板の内側に１本以上対称する装入溝をそれぞれ設け、  該高圧電場を備えた触媒装置は１枚以上、異なる触媒を付着した触媒反応板を設け、該触媒反応板の両側に高圧放電端と接地端のラックをそれぞれ設け、各触媒反応板及びラックは正確な位置に前記のハウジング台の二つの脇板の内側の対称した装入溝に装入し、
該イオン発生装置は一組のラックより構成し、そのうち、一つのラックに複数の延管状を形成し、その外層部に二酸化バナジウム塗層、二酸化チタン塗層及び銀塗層又は金及びその他金属層の多層ナノ作用管を有し、イオン発生装置電気回路の電源負極の出力端に連結し、もう一つのラックにおいて、複数の前記のラックに設ける多層ナノ作用管軸心に対応し、放電端を設け、
前記の構成要素により、触媒装置は１枚以上、異なる触媒を付着した触媒反応板を設け、該触媒反応板の両側に高圧放電端と接地端のラックをそれぞれ設け、高圧放電端より高圧電場を発生し、電子は電場の加速により、分子に衝突し、活性化エネルギーを発生し、一部の気体分子は初期の高エネルギーに衝突し、二次電子を遊離するため、大量な電子を発生し、電子は分子を引き続きに衝突することにより、遊離基を生成し化学反応を引き起こし、このため、気体に酸素、窒素、水などを含まれるとき、水酸化物イオン、酸素化イオンなど高反応性の遊離基は反応により生成されるほか、触媒反応板の触媒により、活性化エネルギーを抑制し、反応を加速させ、酸化分解を加速し、よって、コロナ放電は触媒と結合し、有機化合物ＶＯＣ、例えば、四塩化炭素、ベンゼン、ピルビン、アセチレン二塩化物、トルエン、ブチル酢酸化合物を消去することに対し、加速することを有することを特徴とする高効率マイナスイオンモジュール。
【請求項２】
該ハウジング台の他端に保護カバーを備えた補助ファンを設けて、外気を吸入しイオンの散布を加速させることを特徴とする請求項１記載の高効率マイナスイオンモジュール。
【請求項３】
該ハウジング台の底部に底部空間を設けて、イオン発生装置の電気回路を取り付けることを特徴とする請求項１記載の高効率マイナスイオンモジュール。
【手続補正２】
【補正対象書類名】明細書
【補正対象項目名】０００５
【補正方法】変更
【補正の内容】
【０００５】
請求項１の考案は、ハウジング台、高圧電場を備えた触媒装置及びイオン発生装置を含み、
該ハウジング台に備えた二つの脇板の内側に１本以上対称する装入溝をそれぞれ設け、  該高圧電場を備えた触媒装置は１枚以上、異なる触媒を付着した触媒反応板を設け、該触媒反応板の両側に高圧放電端と接地端のラックをそれぞれ設け、各触媒反応板及びラックは正確な位置に前記のハウジング台の二つの脇板の内側の対称した装入溝に装入し、
該イオン発生装置は一組のラックより構成し、そのうち、一つのラックに複数の延管状を形成し、その外層部に二酸化バナジウム塗層、二酸化チタン塗層及び銀塗層又は金及びその他金属層の多層ナノ作用管を有し、イオン発生装置電気回路の電源負極の出力端に連結し、もう一つのラックにおいて、複数の前記のラックに設ける多層ナノ作用管軸心に対応し、放電端を設け、
前記の構成要素により、触媒装置は１枚以上、異なる触媒を付着した触媒反応板を設け、該触媒反応板の両側に高圧放電端と接地端のラックをそれぞれ設け、高圧放電端より高圧電場を発生し、電子は電場の加速により、分子に衝突し、活性化エネルギーを発生し、一部の気体分子は初期の高エネルギーに衝突し、二次電子を遊離するため、大量な電子を発生し、電子は分子を引き続きに衝突することにより、遊離基を生成し化学反応を引き起こし、このため、気体に酸素、窒素、水などを含まれるとき、水酸化物イオン、酸素化イオンなど高反応性の遊離基は反応により生成されるほか、触媒反応板の触媒により、活性化エネルギーを抑制し、反応を加速させ、酸化分解を加速し、よって、コロナ放電は触媒と結合し、有機化合物ＶＯＣ、例えば、四塩化炭素、ベンゼン、ピルビン、アセチレン二塩化物、トルエン、ブチル酢酸化合物を消去することに対し、加速することを有することを特徴とする高効率マイナスイオンモジュールとしている。
請求項２の考案は、該ハウジング台の他端に保護カバーを備えた補助ファンを設けて、外気を吸入しイオンの散布を加速させることを特徴とする請求項１記載の高効率マイナスイオンモジュールとしている。
請求項３の考案は、該ハウジング台の底部に底部空間を設けて、イオン発生装置の電気回路を取り付けることを特徴とする請求項１記載の高効率マイナスイオンモジュールとしている。